(57)【要約】      （修正有）【課題】使用者の趣向に応じた快適なプレゼンテーションに資するリモートコントローラーを提供する。【解決手段】リモートコントローラーは、パーソナルコンピュータやその他の情報処理装置に対し当該情報処理装置が有する表示画面の変更等の遠隔操作を行い得る本体１と、この本体１に対し、複数の異なる相対位置で選択的に取り付けられる複数の取付部２及び第二取付部とを具備する。これにより、本体１に対して複数の取付部を適宜選択して取りつけることで、使用者の趣向に応じた使用態様を選択し得る。【選択図】図１
2014204326.tif 000002
【特許請求の範囲】
【請求項１】
情報処理装置に対し当該情報処理装置が有する表示画面の変更等の遠隔操作を行い得る本体と、
この本体に対し、複数の異なる相対位置で選択的に取り付けられる一又は複数の取付部とを具備することを特徴とするリモートコントローラー。
【請求項２】
前記取付部を複数具備するものであり、これら複数の取付部を本体に対し選択的に取り付ける請求項１記載のリモートコントローラー。
【請求項３】
前記複数の取付部が、複数の異なる装着対象に対してぞれぞれ装着し得るように構成されている請求項２記載のリモートコントローラー。
【請求項４】
前記取付部が前記本体の内部に少なくとも一部を挿入して係り合うべく突設して設けた係合部を有するものであり、この係合部の内部に前記本体に電気を供給するための電池を収容している請求項１、２又は３記載のリモートコントローラー。
【請求項５】
前記取付部を複数具備するとともにこれら取付部が前記本体の内部に少なくとも一部を挿入して係り合うべく突設して設けた係合部を有するものであり、これら複数の取付部に設けられた前記係合部の向きをそれぞれ異ならせている請求項１、２、３又は４記載のリモートコントローラー。
【発明の詳細な説明】
【技術分野】
【０００１】
本発明は、情報処理端末を遠隔操作するためのリモートコントローラーに関するものである。
【背景技術】
【０００２】
従来、プレゼンテーションや会議等の場で使用され、プロジェクタやＯＨＰ等によりスクリーンに投射した画面の一部をレーザ光で指示するレーザポインタが周知である。
【０００３】
また、単にレーザ光を照射するのみならず、パーソナルコンピュータやその他の情報処理装置側と無線交信して表示画面の変更等の遠隔操作を行い得るものも開発されている。斯かるレーザポインタの具体的な一例としては、ペン型の筐体にレーザ照射用の操作部（押下ボタン）、ページ送り指令用の操作部、及びページ戻し指令用の操作部が設けられており、各操作部を操作することで、レーザ光を照射したり、情報処理装置にページ送りまたはページ戻し指令のみならず、マウスと同様の指令を与えたりすることができるといったレーザポインタを挙げることができる(例えば、特許文献１参照)。
【０００４】
また近年、予めレーザ光を照射する機能のみを有するレーザポインタを有している使用者にとっては、上記のようなレーザポインタを導入することなく情報処理装置に対する指令のみを別途行い得るようにしたいという要望がある。かかる要望を実現するためには、レーザ光の照射機能を持たず上記遠隔操作を行い得る本体と、この本体を使用者の手指等に取り付けるための取付部と有したリモートコントローラーを導入することが考えられる（例えば、特許文献２及び特許文献３参照）。
【０００５】
しかしながらプレゼンテーションを行う使用者は、それぞれ使用者自身の好みや癖がある。すなわちレーザポインタの使用と上記遠隔操作を併せて行う場合には、必ずしも上記特許文献２及び特許文献３に記されたリモートコントローラーの装着態様が使用者自身の趣向に沿うとは限られない。つまり、上記のようなリモートコントローラーにおいては、使用者の趣向、つまり好みや癖に応じ得るようにすることが求められている。
【先行技術文献】
【特許文献】
【０００６】
【特許文献１】特開２０１０−００９００８号公報
【特許文献２】特開平９−１１４５８２号公報
【特許文献３】特表平１１−５０８３８２号公報
【発明の概要】
【発明が解決しようとする課題】
【０００７】
本発明は、このような不具合に着目したものであり、使用者の趣向に応じた快適なプレゼンテーションに資するリモートコントローラーを提供することを目的としている。
【課題を解決するための手段】
【０００８】
本発明は、このような目的を達成するために、次のような手段を講じたものである。
【０００９】
すなわち本発明に係るリモートコントローラーは、情報処理装置に対し当該情報処理装置が有する表示画面の変更等の遠隔操作を行い得る本体と、この本体に対し、複数の異なる相対位置で選択的に取り付けられる一又は複数の取付部とを具備することを特徴とする。
【００１０】
ここで「選択的に取り付けられる一又は複数の取付部」とは、単一の取付部が複数の相対位置で取り付け得るようにした態様も、複数の取付部がそれぞれ別の相対位置で取り付けられるようにした態様も含まれる。また複数の取付部がそれぞれ複数の相対位置で取り付け得るようにしたものも含まれる。さらに、「複数の相対位置」とは、段階的に取付位置や角度を変更し得るようにしたものも、無段階で取付位置や角度を変更し得るようにしたものも含まれる。
【００１１】
このようなものであれば、単一の本体に対し、複数の使用態様を使用者が選択できる。すなわち本発明によれば、使用者の趣向に応じた快適なプレゼンテーションに資するリモートコントローラーを提供することができる。
【００１２】
より広範な使用態様を使用者に提供するためには、前記取付部を複数具備するものとし、これら複数の取付部を本体に対し選択的に取り付けるようにすることが望ましい。
【００１３】
また、取付部の取付対象は使用者の趣向や希望に応じて様々である。すなわち
前記複数の取付部は、形状や本体に対する向きを異ならせるなどして、複数の異なる装着対象に対してぞれぞれ装着し得るように構成しておくことが望ましい。
【００１４】
また、前記本体は使用者のプレゼンテーションの癖や趣向に拘わらず使用者がもって操作することを鑑みるとよりコンパクトに構成することが好ましい。つまり本体をよりコンパクトに構成し得る様、前記取付部を前記本体の内部に少なくとも一部を挿入して係り合うべく突設して設けた係合部を有するものとし、この係合部の内部に前記本体に電気を供給するための電池を収容するようにすることが好ましい。
【００１５】
そして、簡素な構成により使用者の趣向や希望に応じ得るようにするためには、前記取付部を複数具備するものである場合には、これら複数の取付部が前記本体の内部に少なくとも一部を挿入して係り合うべく突設して設けた係合部を有するものとして、これら複数の取付部に設けられた前記係合部の向きをそれぞれ異ならせて構成することが好ましい。
【発明の効果】
【００１６】
本発明によれば、使用者の趣向に応じた快適なプレゼンテーションに資するリモートコントローラーを提供することができる。
【図面の簡単な説明】
【００１７】
【図１】本発明の一実施形態に係る使用状態を示す外観図。
【図２】同実施形態に係る他の外観図。
【図３】同斜視図。
【図４】同背面図。
【図５】同構成説明図。
【図６】同要部の斜視図。
【図７】同要部の他の斜視図。
【図８】同他の要部の斜視図。
【図９】同実施形態に係る斜視図。
【図１０】同実施形態に係る使用状態を示す外観図。
【図１１】図９に係る要部の斜視図。
【発明を実施するための形態】
【００１８】
以下、本発明の一実施の形態について図１〜図１１を参照して説明する。
【００１９】
プレゼンテーションや会議等の場で用いられる本実施形態に係るリモートコントローラーは、図示しない情報処理装置とともにプレゼンテーションシステムを構成する。情報処理装置は、具体的にはパーソナルコンピュータ、多機能型のテレビジョン受像器、ディスク再生装置や記録装置等であり、必要に応じてプロジェクタ、モニタ、アンプ及びスピーカ、カメラ、マイク等の機器を接続する。また、情報処理装置には、リモートコントローラーの本体１から発信される無線信号を受信する単一の受信機たるレシーバ３を接続する。
【００２０】
レシーバ３は、図５に示すように、制御回路等を内蔵した筐体３１から、前方に情報処理装置に接続するための接続プラグ３２（ＵＳＢ、ＩＥＥＥ１３９４等）を突き出させているもので、接続プラグ３２を介して受信した信号を情報処理装置に送るとともに情報処理装置から給電を受ける。筐体３１は接続プラグ３２に隣接する端部を一部切り欠いており、使用者がこの切欠部分３３を摘んでレシーバ３３を抜き差ししやすいようにするとともに、不使用状態では同図に示すようにリモートコントローラーに取付け得るようにしている。そしてレシーバ３は、本実施形態ではＩＤ設定を行うことができるとともに、内部には、接続プラグ３２を介して受信した信号を情報処理装置に送るかレシーバ３自体がリモートコントローラーと送信するための、受信機側トランシーバを有している。かかるレシーバ３によるＩＤ設定の手順や情報処理装置との通信の具体的な態様は既存の種々の態様を適用し得るため、詳細な説明は省略する。
【００２１】
すなわち本実施形態に係るリモートコントローラーは、パーソナルコンピュータやその他の情報処理装置に対し当該情報処理装置が有する表示画面の変更等の遠隔操作を行い得る本体１と、この本体１に対し、複数の異なる相対位置で選択的に取り付けられる複数の取付部２、２０とを具備することを特徴とする。つまり本実施形態に係るリモートコントローラーは図１〜図３に示すように取付部２を介して本体１を使用者の手指に装着する態様と、図９及び図１０に示すように取付部２に替えて第二取付部２０を本体１に取り付けることにより使用者がプレゼンテーションの際に用いるペン形のレーザポインタＬＰに装着し、レーザポインタＬＰを持つ手でそのまま操作する態様とを取り得る。
【００２２】
以下、リモートコントローラーの各部の構成について説明する。
【００２３】
本体１は、情報処理装置に対して種々の操作を行うための操作部１１と、取付部２に対して係り合う係合部を構成する係合凹部１２と、係合凹部１２の内側において電池からの電力が供給される電池受け部１９とを有している。
【００２４】
操作部１１は、図１〜図７、図９及び図１０に示すように、本体１の側方及び正面側にそれぞれ設けられている。本体１正面側中央では使用者の押圧により操作を行うための矩形板１１ａと、この矩形板１１ａの周囲を覆うもので外部から押圧されると適宜凹み得る程度の可撓性を有する素材であるか或いは前記凹み方向に適宜傾き得るように設定された環状板１１ｂとによって覆われている。そして本体１は、本体１の両側方に設けられた電源スイッチ１３及びＩＤ要求送信ボタン１４と、本体１正面側に前記矩形板１１ａの位置に設けられたページ送りボタン１５と、前記環状板１１ｂの位置に設けられたページ戻しボタン１６、スクリーン切替ボタン１７及び電池残量表示部１８とを有している。なお図１及び図２においては前記ページ送りボタン１５、ページ戻しボタン１６及び電池残量表示部１８の位置に適宜機能が分かるようアルファベットやイラストが印刷されているが勿論、他の記号が印刷されていたり、矩形板１１ａ及び環状板１１ｂに適宜凹凸を設けることにより使用者に操作部１１の正確な操作を促すようにしても良い。したがって図１及び図２以外の図面においては、前記印刷の図示を省略する。
【００２５】
電源スイッチ１３は、所謂スライド式の態様としている。つまり電源スイッチ１３を一方から他方へスライドさせることにより電源の入切を切り替える。ＩＤ要求送信ボタン１４は、リモートコントローラーを使用するに先立ちレシーバ３に正しく認識され得るようにするためのものである。つまり本実施形態ではＩＤ要求送信ボタン１４を押圧することにより一定の時間、レシーバ３に対してＩＤ要求を行い、レシーバ３から送信されたロット固有のＩＤを受信することにより、レシーバ３から正しく認識され、情報処理装置の遠隔操作を行い得るようにする。また本実施形態では、当該固有のＩＤの他に、レシーバ３と正確に交信し得るように、所謂チャンネルに関する情報をも送信し得る態様を採用している。係るチャンネル送信に関しては、周波数の設定に係る技術や時間スロットに係る技術、或いは符号多重分割方式に係る技術といった、既存の種々の技術を適用することができる。ページ送りボタン１５は、情報処理装置上で起動している、複数のページ（または、スライド）を順次画面に表示するプレゼンテーションソフトウェア等において、次のページに切り替えるためのものである。逆に、ページ戻しボタン１６は、前のページに戻るためのものである。ページ送りボタン１５／ページ戻しボタン１６が押下された暁には、ページを送る／戻す旨を指示する信号を情報処理装置に向けて発信する。また、プレゼンテーションソフトウェア等によるスライドショー実行時、スクリーン切替ボタン１７が押下された場合には、キーボードのＢキーが押下されたのと同等の信号を発信する。結果、スクリーンの表示が黒くなる（暗転する）。元のスライド表示に戻したければ、再度スクリーン切替ボタン１７を押下すればよい。
【００２６】
一方、本体１は、図７に示すように背面側中央を凹ませることにより電池の一部を受け入れる電池受け部１９を設けるとともに、当該電池受け部１９に電極１９ａを配置し、電池からの電力が供給され得る態様としている。係る電池受け部１９及び電極１９ａの具体的な態様を含め、リモートコントローラーの電気的な構造については既存の種々の態様を適用し得るために詳細な説明を省略する。
【００２７】
しかして電池受け部１９の周辺には３箇所において係合凹部１２を設けてなる。これら３つの係合凹部１２は電池受け部１９の周辺において不均等な間隔となるよう設定されている。これにより各係合凹部１２がともに正しく取付部２に係り得る向きは一種類のみとなる。つまり本実施形態では係合凹部１２を不均等な間隔で配置することにより誤った向きでの取付部２の装着を行い得ないようにしている。また本実施形態では、取付部２の装着を速やかに正しく行い得るよう、任意の係合凹部１２近傍に目印を設けている。
【００２８】
この係合凹部１２は、取付部２の一部を収容しつつ取付部２を所定の相対位置で固定し得るものである。この係合凹部１２は、取付部２側の導入凸部２２１を受け入れる導入凹部１２１と、導入凹部１２１に連続して設けられる摺動部１２２と、摺動部１２２内における取付部２の動作終端に面して設けられた当接面１２３と、当接面１２３近傍に設けられ取付部２側と凹凸係合することにより動作終端での位置決めを行うとともに係合時の感触を使用者に知らしめるための位置決め凹部１２４とを有している。
【００２９】
しかして本実施形態では、上記の本体１に対し、複数の異なる相対位置で選択的に取り付けられる二種類の取付部２、２０を具備する。つまり、図１〜図５に示す、使用者の手指、詳細には人差し指又は中指に装着したときに、図１の如く親指にてページ送りボタン１５、ページ戻しボタン１６及びスクリーン切替ボタン１７を操作し易くするための取付部２と、図１０の如く、所謂ペン形と呼ばれる形状をなすレーザポインタＬＰを使用しつつ、その使用している手でページ戻しボタン１６及びスクリーン切替ボタン１７を操作し易くするための第二取付部２０とを具備する。そしてこれら両取付部２、２０を使用者の趣向に応じて適宜選択的に取り付けるようにしている。換言すれば、取付部２と第二取付部２０とはその装着する装着対象がそれぞれ異なるようなサイズに設定されている。
【００３０】
ここで本実施形態では、これら両取付部２、２０は、前記係合部たる係合凸部２２の向きがそれぞれ異なる。つまり本体１の配置が９０°異なるように設定されている。加えて装着対象に適応し易いよう若干寸法設定を変更してある。しかしながら両取付部２、２０は前記２点以外は同様の構成を有している。そのため、両取付部２、２０の各構成要素に対しては同じ符号を付すとともに、その詳細な説明はまとめて行うものとする。
【００３１】
取付部２（第二取付部２０）は、装着対象を挟持するための挟持部２１と、本体１に対して係合すべく突設した係合部たる係合凸部２２と、この係合部の内部において前記本体１に電気を供給するための電池を収容する電池収容部２３とを有している。
【００３２】
電池収容部２３には電池からの電気を本体１へ供給するための電極２３ａが配置されている。なお、本実施形態において電池収容部２３に収容される電池は、円盤状をなす、所謂ボタン型乾電池である。当該ボタン型乾電池のうち、所定の規格に適合したものが適用されるが、当該ボタン型乾電池の詳細な態様については既存の種々の規格の電池を選択的に使用し得るため、その詳細な説明を省略する。
【００３３】
挟持部２１は、断面視概略Ｃ字状をなし互いに対向するように設けられた対をなす挟持体２４と、一方の挟持体２４に設けられた開口であり上記レシーバ３を挿入保持するためのホルダ２５と、挟持体２４の基端部において表裏から肉厚を薄く凹ませて優先的な弾性変形が促されるようにしたヒンジ２６とを有している。この挟持部２１は、比較的強度が高く弾性変形可能な弾性樹脂と、この弾性樹脂よりも強度が低く且つ表面の摩擦係数が高く設定された摩擦樹脂による二色成形或いはこれら２種類の樹脂を互いに嵌合させることにより構成される。ホルダ２５はレシーバ３に設けられた切欠部分３３を挟み込むことにより、挟持部２１の内側に接続プラグ３２を位置付けて保護するようにレシーバ３を保持し得る。これにより、不使用時ではレシーバ３は挟持部２１によって有効に保護され、特に接続プラグ３２が挟持部２１に被覆される。
【００３４】
係合凸部２２は、前記電池収容部２３の周囲に三箇所において外方に突設させたものである。すなわち前記取付部２が前記本体１の内部に挿入して係り合うべく突設して設けた係合部たる係合凸部２２の内部に電池を収容する電池収容部２３を設けている。そして係合凸部２２は前記係合凸部２２同様、電池収容部２３の周囲において不均等な間隔となるよう設定されている。これにより各係合凸部２２がともに正しく前記係合凹部１２に係り得る向きは一種類のみとなる。つまり本実施形態では係合部たる係合凸部２２、係合凹部１２を不均等な間隔で配置することにより誤った向きでの取付部２の本体１への装着を行い得ないようにしている。係合凸部２２は、電池収容部２３から放射状に立方体形状をなすように突設させて設けた導入凸部２２１と、この導入凸部２２１において動作終端で毛当接面１２３に当たる当たり面２２３と、当接面１２３と当たり面２２３とが当たるときに位置決め凹部１２４に対し凹凸係合する位置決め凸部２２４とを有している。
【００３５】
しかして本実施形態では、かかる係合凸部２２と係合凹部１２とをそれぞれ所定の向きとしながら係合凸部２２を導入凹部１２１内へ挿入し、しかる後に係合凸部２２を摺動部１２２に摺接させながら本体１及び取付部２を相対的に回転させる。そして動作終端に達した時点で当接面１２３と当たり面２２３とが互いに接触するとともに位置決め凹部１２４及び位置決め凸部２２４が凹凸係合する際の振動が使用者に伝わるようにすることで、使用者は動作終端において本体１に対する取付部２の取付が終了した後に無駄に操作力を付与させることを有効に回避している。
【００３６】
以上のような構成とすることにより本実施形態では、単一の本体１に対し電池を内蔵した状態で取付部２及び第二取付部２０を装着することで、図１及び図１０に示すように手指やレーザポインタＬＰといった装着対象に好適に装着し得るリモートコントローラーを実現している。換言すれば、すなわち本発明によれば、使用者の趣向に応じた快適なプレゼンテーションに資するリモートコントローラーを実現している。
【００３７】
より広範な使用態様を使用者に提供するために本実施形態では、前記取付部を複数具備するものとし、これら複数の取付部２、２０を本体１に対し選択的に取り付けるようにすることで、手指に装着しても、レーザポインタＬＰに装着しても使用者は快適なプレゼンテーションを行い得る。つまり本実施形態ではそれぞれの取付部２、２０がプレゼンテーション時に異なる取付対象に対して好適に装着することで、プレゼンテーション時のリモートコントローラーの使用態様を適宜選択できるようにしている。
【００３８】
特に本実施形態では、本体１をよりコンパクトに構成し得る様、前記取付部２、２０を前記本体１の内部に挿入して係り合うべく突設して設けた係合部を有するものとし、この係合部の内部に前記本体１に電気を供給するための電池を収容するようにしている。
【００３９】
そして、簡素な構成により使用者の趣向や希望に応じ得るようするために本実施形態では、複数の取付部２、２０が前記本体１の内部に少なくとも一部を挿入して係り合うべく突設して設けた係合部たる係合凸部２２を、向きを９０°それぞれ異ならせて構成している。
【００４０】
以上、本発明の実施形態について説明したが、各部の具体的な構成は、上述した実施形態のみに限定されるものではなく、本発明の趣旨を逸脱しない範囲で種々変形が可能である。
【００４１】
例えば、上記実施形態では取付部及び第二取付部を互いに類似の形状とする態様を開示したが、勿論、取付部同士が装着対象の形状や使用態様に応じて全く違う形状や態様を適用したものであってもよい。例えば上記実施形態では複数の取付部を概略指輪状に設定したが、一方の取付部を概略クリップ形状をなすようにしても良い。また操作部や本体と情報処理装置との通信様式といった具体的な態様は上記実施形態のものに限定されることはなく、既存のものを含め、種々の態様のものを適用することができる。
【００４２】
その他、各部の具体的構成についても上記実施形態に限られるものではなく、本発明の趣旨を逸脱しない範囲で種々変形が可能である。
【産業上の利用可能性】
【００４３】
本発明は情報処理端末を遠隔操作するためのリモートコントローラーとして利用することができる。
【符号の説明】
【００４４】
１…本体
２…取付部
２０…取付部（第二取付部）
２２…係合部（係合凸部）
２３…電池収容部
【図１】
2014204326.tif 000003
【図２】
2014204326.tif 000004
【図３】
2014204326.tif 000005
【図４】
2014204326.tif 000006
【図５】
2014204326.tif 000007
【図６】
2014204326.tif 000008
【図７】
2014204326.tif 000009
【図８】
2014204326.tif 000010
【図９】
2014204326.tif 000011
【図１０】
2014204326.tif 000012
【図１１】
2014204326.tif 000013